(57)【要約】【課題】簡易な設備で低コストに、ケーソンの回転によるズレを確実に修正する。【解決手段】この方法では、下端に刃口１１を有するケーソン躯体１を地盤に所定のストロークずつ沈降させる過程で、ケーソン躯体１に軸回りの回転が発生したときに、その都度、刃口１１の内周面に回転修正用器具２を脱着可能に取り付けて、回転発生後のケーソン躯体１を地盤に沈降させ、この回転修正用器具２でケーソン躯体１をケーソン躯体１が回転した方向とは反対方向に回転案内し、ケーソン躯体１の回転によるずれを修正する。【選択図】図１
2015074941.tif 000002
【特許請求の範囲】
【請求項１】
下端に刃口を有するケーソン躯体を地盤に所定のストロークずつ沈降させる過程で、前記ケーソン躯体に前記ケーソン躯体の軸回りの回転が発生したときに、その都度、前記刃口の内周面に、前記ケーソン躯体の沈降時に前記刃口の内周面側で受ける鉛直方向の地盤反力に接し、前記地盤反力の一部を前記ケーソン躯体が回転した方向とは反対方向の分力に変換可能な形状を有する回転修正用器具を脱着可能に取り付け、前記回転発生後のケーソン躯体を地盤に沈降させる際に、前記ケーソン躯体を前記ケーソン躯体が回転した方向とは反対方向に回転案内し、前記ケーソン躯体の回転によるずれを修正する、
ことを特徴とするニューマチックケーソンの回転修正方法。
【請求項２】
回転修正用器具は、ケーソン躯体の回転によるずれが修正されるまで、刃口の内周面に取り付けておき、前記ケーソン躯体の回転によるずれが修正されたときに、前記刃口から取り外し、前記ケーソン躯体の沈設が完了するまで前記ケーソン躯体の回転が発生する都度、この回転修正用器具の取り付け、取り外しを繰り返す請求項１に記載のニューマチックケーソンの回転修正方法。
【請求項３】
ケーソン躯体の下端刃口の内周面に脱着可能に取り付けられ、前記ケーソン躯体を地盤に所定のストロークずつ沈降させる過程での、前記ケーソン躯体に発生する前記ケーソン躯体の軸回りの回転によるずれを修正するためのニューマチックケーソンの回転修正用器具であって、
全体として略板状又は略ブロック状に形成されて、背面、一方の側部、他方の側部、底部、上部、正面を備え、
前記背面は、前記刃口の内周面に沿って当接可能な面状をなし、
前記一方の側部は、前記ケーソン躯体の回転方向に対向する側で、前記背面側から前記正面側に向けて突出する前記上部側の高さに所定の高さ寸法を有し、当該高さが前記上部側から前記底部側に向けて漸次小さくなる断面略三角形状をなし、
前記他方の側部は、前記一方の側部の反対側で、略線形、又は前記背面側から前記正面側に向けて突出する前記上部側の高さが前記一方の側部の上部側の高さよりも小さく、当該高さが前記上部側から前記底部側に向けて漸次小さくなる断面略三角形状をなし、
前記底部は、鉛直方向の地盤反力に対向する側で、略線形、又は前記背面側から前記正面側に向けて突出する高さが前記一方の側部側から前記他方の側部側に向けて漸次小さくなる断面略三角形をなし、
前記上部は、前記底部の反対側で、前記背面側から前記正面側に向けて突出する高さが前記一方の側部側から前記他方の側部側に向けて漸次小さくなる断面略三角形をなし、
前記正面は、前記背面側から突出する高さが前記一方の側部側から前記他方の側部側に向けて漸次小さくなり、かつ前記上部から前記底部に向けて漸次小さくなる複合傾斜面をなし、
締結要素を介して、前記刃口の内周面に脱着可能に取り付けられる、
ことを特徴とするニューマチックケーソンの回転修正用器具。
【請求項４】
回転修正用器具本体は全体が一体で、正面方向の突出高さが異なる複数の種類の回転修正用器具を備え、前記突出高さの異なる回転修正用器具の交換により、正面方向の突出高さが調整される請求項３に記載のニューマチックケーソンの回転修正用器具。
【請求項５】
回転修正用器具本体は背面側から正面方向に並列に複数に分割されて、背面側から正面方向に並列に組み合わせ可能な複数の器具構成パーツからなり、前記器具構成パーツの組み合わせ数の増減により、正面方向の突出高さが調整される請求項３に記載のニューマチックケーソンの回転修正用器具。
【請求項６】
締結要素として複数のホルトを備え、正面と背面との間に複数のボルト挿通穴が貫通形成され、前記各ボルトは前記各ボルト挿通穴内に通されて刃口の内周面に締結され、前記各ボルト挿通穴内に埋設される請求項３乃至５のいずれかに記載のニューマチックケーソンの回転修正用器具。
【発明の詳細な説明】
【技術分野】
【０００１】
本発明は、ケーソン躯体を地中や海底に沈降させる過程でケーソン躯体が回転した場合の修正に使用するニューマチックケーソンの回転修正方法及び回転修正用器具に関する。
【背景技術】
【０００２】
一般に、地中や海底にシールド工事における発進乃至到達用の立坑を掘削する場合や橋脚を建設する場合、ケーソン躯体と呼ばれる下端に刃口を有する構造躯体を使用するニューマチックケーソン工法が行われている。この工法は、周知のとおり、ケーソン躯体の下端刃口の内部に気密性を有する作業室を設け、この作業室に圧縮空気を送り込んで、水の浸入を防ぎつつ地盤の掘削作業を行い、ケーソン躯体を地盤に所定のストロークずつ圧入沈降させて所定の深さまで沈設するものである。
【０００３】
このニューマチックケーソン工法に、円形のケーソン躯体を用いる場合、ケーソン躯体の沈降途中で、地盤のさまざまな条件により、ケーソン躯体に（ケーソン躯体の）軸回りの回転が発生することがあり、このようなケーソン躯体の回転を防ぐために、従来より、ケーソン躯体の外周に回転抵抗材やアングル材などからなるスタビライザーを設けて、ケーソン躯体の回転を抑制する方法が知られており、この方法が例えば特許文献１により提案されている。
【先行技術文献】
【特許文献】
【０００４】
【特許文献１】特開平７−１５８０８０号公報
【発明の概要】
【発明が解決しようとする課題】
【０００５】
しかしながら、ケーソン躯体が地盤に沈降する過程で回転してしまうと、現状では、ケーソン躯体の回転を修正するのに有効な方法がない。ケーソン躯体にスタビライザーを付けていてもケーソン躯体は回転することがあり、ケーソン躯体が回転してしまうと、ケーソン躯体の回転を修正することができない。このようなケーソン躯体の回転の修正は、例えば、ケーソン躯体を地中のトンネルと接続するために、ケーソン躯体の外周面の所定の接続位置をトンネルの位置に合わせる場合などに必要となる。なお、ケーソン躯体の回転を修正するために、油圧ジャッキなどを用いてケーソン躯体に機械的に回転力を付与し、ケーソン躯体をケーソン躯体が回転した方向とは反対方向に回転させるという提案もあるが、この方法では、大きな機械設備が必要でコストが増大し、また、静止状態のケーソン躯体を機械的に回転させようとしてもケーソン躯体の外周面と地盤との間の周面摩擦力が大きな抵抗となって、ケーソン躯体を回転させることは困難と考えられた。
そこで本願発明者は、ケーソン躯体を地盤に圧入沈降させるときに、ケーソン躯体の刃口の内周面に鉛直方向に地盤反力が作用すること、ケーソン躯体が地盤に沈降中はケーソン躯体の外周面と地盤との間の摩擦力が最も小さくなることなどに着目し、ケーソン躯体に作用する地盤反力の一部を利用してケーソン躯体の回転を修正する方法及びこれに用いる器具を見出し、本発明を提案するに至った。
【０００６】
本発明は、上記従来の問題を解決するものであり、ケーソン躯体が地盤に沈降する過程でのケーソン躯体の回転によるずれを、ケーソン躯体を油圧ジャッキなどを用いて機械的、強制的に回転させることなく、ケーソン躯体で受ける地盤反力の一部を利用した簡易な設備により容易かつ低コストに修正することのできる、ニューマチックケーソンの回転修正方法及び回転修正用器具を提供すること、を目的とする。
【課題を解決するための手段】
【０００７】
上記目的を達成するために、本発明のニューマチックケーソンの回転修正方法は、下端に刃口を有するケーソン躯体を地盤に所定のストロークずつ沈降させる過程で、前記ケーソン躯体に前記ケーソン躯体の軸回りの回転が発生したときに、その都度、前記刃口の内周面に、前記ケーソン躯体の沈降時に前記刃口の内周面側で受ける鉛直方向の地盤反力に接し、前記地盤反力の一部を前記ケーソン躯体が回転した方向とは反対方向の分力に変換可能な形状を有する回転修正用器具を脱着可能に取り付け、前記回転発生後のケーソン躯体を地盤に沈降させる際に、前記ケーソン躯体を前記ケーソン躯体が回転した方向とは反対方向に回転案内し、前記ケーソン躯体の回転によるずれを修正する、ことを要旨とする。
この場合、回転修正用器具は、ケーソン躯体の回転によるずれが修正されるまで、刃口の内周面に取り付けておき、前記ケーソン躯体の回転によるずれが修正されたときに、前記刃口から取り外し、前記ケーソン躯体の沈設が完了するまで前記ケーソン躯体の回転が発生する都度、この回転修正用器具の取り付け、取り外しを繰り返す。
【０００８】
また、本発明は、ケーソン躯体の下端刃口の内周面に脱着可能に取り付けられ、前記ケーソン躯体を地盤に所定のストロークずつ沈降させる過程での、前記ケーソン躯体に発生する前記ケーソン躯体の軸回りの回転によるずれを修正するためのニューマチックケーソンの回転修正用器具であって、全体として略板状又は略ブロック状に形成されて、背面、一方の側部、他方の側部、底部、上部、正面を備え、前記背面は、前記刃口の内周面に沿って当接可能な面状をなし、前記一方の側部は、前記ケーソン躯体の回転方向に対向する側で、前記背面側から前記正面側に向けて突出する前記上部側の高さに所定の高さ寸法を有し、当該高さが前記上部側から前記底部側に向けて漸次小さくなる断面略三角形状をなし、前記他方の側部は、前記一方の側部の反対側で、略線形、又は前記背面側から前記正面側に向けて突出する前記上部側の高さが前記一方の側部の上部側の高さよりも小さく、当該高さが前記上部側から前記底部側に向けて漸次小さくなる断面略三角形状をなし、前記底部は、鉛直方向の地盤反力に対向する側で、略線形、又は前記背面側から前記正面側に向けて突出する高さが前記一方の側部側から前記他方の側部側に向けて漸次小さくなる断面略三角形をなし、前記上部は、前記底部の反対側で、前記背面側から前記正面側に向けて突出する高さが前記一方の側部側から前記他方の側部側に向けて漸次小さくなる断面略三角形をなし、前記正面は、前記背面側から突出する高さが前記一方の側部側から前記他方の側部側に向けて漸次小さくなり、かつ前記上部から前記底部に向けて漸次小さくなる複合傾斜面をなし、締結要素を介して、前記刃口の内周面に脱着可能に取り付けられる、ことを要旨とする。
この場合、回転修正用器具本体は全体が一体で、正面方向の突出高さが異なる複数の種類の回転修正用器具を備え、前記突出高さの異なる回転修正用器具の交換により、正面方向の突出高さが調整されるようにすることが好ましい。また、回転修正用器具本体は背面側から正面方向に並列に複数に分割されて、背面側から正面方向に並列に組み合わせ可能な複数の器具構成パーツからなり、前記器具構成パーツの組み合わせ数の増減により、正面方向の突出高さが調整されるようにしてもよい。
また、この場合、締結要素として複数のホルトを備え、正面と背面との間に複数のボルト挿通穴が貫通形成され、前記各ボルトは前記各ボルト挿通穴内に通されて刃口の内周面に締結され、前記各ボルト挿通穴内に埋設されるようにすることが好ましい。
【発明の効果】
【０００９】
本発明のニューマチックケーソンの回転修正方法によれば、ケーソン躯体が地盤に沈降する過程でケーソン躯体の軸回りに回転が発生したときに、その都度、刃口の内周面に回転修正用器具を脱着可能に取り付け、回転発生後のケーソン躯体を地盤に沈降させて、このケーソン躯体の沈降中のケーソン躯体の外周面と地盤との間の周面摩擦力が小さいときに、回転修正用器具で、刃口の内周面側で受ける鉛直方向の地盤反力を受け、この地盤反力の一部をケーソン躯体の回転方向とは逆方向の分力に変換して、ケーソン躯体をケーソン躯体が回転した方向とは反対方向に回転案内し、ケーソン躯体の回転によるずれを修正するようにしたので、ケーソン躯体が地盤に沈降する過程でのケーソン躯体の回転によるずれを、ケーソン躯体を油圧ジャッキなどを用いて機械的、強制的に回転させることなく、ケーソン躯体で受ける地盤反力の一部を利用した簡易な設備により容易かつ低コストに修正することができる、という本発明独自の格別な効果を奏する。
【００１０】
また、本発明のニューマチックケーソンの回転修正用器具によれば、刃口の内周面に沿って当接可能な面状をなす背面と、ケーソン躯体の回転方向に対向する側で、背面側から正面側に向けて突出する上部側の高さに所定の高さ寸法を有し、当該高さが上部側から底部側に向けて漸次小さくなる断面略三角形状をなす一方の側部と、一方の側部の反対側で、略線形、又は背面側から正面側に向けて突出する上部側の高さが一方の側部の上部側の高さよりも小さく、当該高さが上部側から底部側に向けて漸次小さくなる断面略三角形状をなす他方の側部と、鉛直方向の地盤反力に対向する側で、略線形、又は背面側から正面側に向けて突出する高さが一方の側部側から他方の側部側に向けて漸次小さくなる断面略三角形をなす底部と、底部の反対側で、背面側から正面側に向けて突出する高さが一方の側部側から他方の側部側に向けて漸次小さくなる断面略三角形をなす上部と、背面側から突出する高さが一方の側部側から他方の側部側に向けて漸次小さくなり、かつ上部から底部に向けて漸次小さくなる複合傾斜面をなす正面とを備え、締結要素を介して、刃口の内周面に脱着可能に取り付け、かかる形状の回転修正用器具で刃口の内周面側で受ける鉛直方向の地盤反力を受けるようにしたので、この回転修正用器具の作用により、地盤反力の一部をケーソン躯体が回転した方向とは反対方向の分力に置き換えて、ケーソン躯体をケーソン躯体が回転した方向とは反対方向に有効に回転案内することができ、ケーソン躯体が地盤に沈降する過程でのケーソン躯体の回転によるずれを、ケーソン躯体を油圧ジャッキなどを用いて機械的、強制的に回転させることなく、地盤反力の一部を利用した簡易な設備で容易かつ低コストに修正することができる、という本発明独自の格別な効果を奏する。
【図面の簡単な説明】
【００１１】
【図１】本発明の一実施の形態によるニューマチックケーソンの回転修正方法を示す断面図
【図２】同回転修正方法に用いる回転修正用器具の構成を拡大して示す斜視図
【図３】同回転修正方法に用いる回転修正用器具の別の構成を拡大して示す斜視図
【発明を実施するための形態】
【００１２】
次に、この発明を実施するための形態について図を用いて説明する。
図１に円形のケーソン躯体を用いたニューマチックケーソン工法とともに、ニューマチックケーソンの回転修正方法を示している。
【００１３】
図１に示すように、ケーソン躯体１は、上下方向に側壁１０が形成されて、この側壁１０の下端に刃口１１が形成され、また、この側壁１０の内部の下部側に天井スラブ１２が形成されてその下方の刃口１１の内部に作業室１３が設けられる。このケーソン躯体１内に、気圧調整及び土砂の搬出に使用するマテリアルシャフト１４及びマテリアルロック１５、作業員の昇降に使用するマンシャフト１６及びマンロック１７など、地上部にケーソン躯体１を構築するのに使用するタワークレーン（図示省略）、土砂を搬出するのに使用するスケータークレーン（図示省略）など、地下部の作業室１３内に、ケーソン躯体１下部の地盤を掘削するのに使用する掘削機械１８など、ケーソン躯体１の各部にそれぞれ、ニューマチックケーソン工法に必要な各種の設備が配置される。
ニューマチックケーソン工法では、既述のとおり、ケーソン躯体１下部の作業室１３に圧縮空気を送り込んで、水の浸入を防ぎつつ地盤の掘削作業を行い、ケーソン躯体１を地盤に所定のストロークずつ圧入沈降させて、所定の深さまで沈設する。
【００１４】
かかるニューマチックケーソン工法により、ケーソン躯体１を地中に所定のストロークずつ圧入沈降させていく過程で、ケーソン躯体１にケーソン躯体１の軸回りに回転が発生したときに、このニューマチックケーソンの回転修正方法では、ケーソン躯体１が回転した都度、刃口１１の内周面に、ケーソン躯体１の沈降時に刃口１１の内周面側で受ける鉛直方向の地盤反力に接し、地盤反力の一部をケーソン躯体１が回転した方向とは反対方向の分力に変換可能な特殊な形状の回転修正用器具２をボルトなどの締結要素を介して脱着可能に取り付ける。この場合、ケーソン躯体１の刃口１１際の土を一部取り除き、ケーソン躯体１の大きさに応じて複数個の回転修正用治具２を刃口１１の斜めの内周面に同じ所定の高さで等間隔に設置固定する。そして、この回転発生後のケーソン躯体１を地盤に圧入沈降させる。このケーソン躯体１の沈下中がケーソン躯体１の外周面と地盤との間の周面摩擦力が最も小さくなり、このケーソン躯体１に付けた回転修正用器具２は掘削面に接して鉛直方向の地盤反力を受け、この回転修正用器具２の形状に基く作用により、地盤反力の一部がケーソン躯体１が回転した方向とは反対の回転方向の分力に置き換えられ、ケーソン躯体１にケーソン躯体１が回転した方向とは反対方向の回転力が加えられて、ケーソン躯体１をケーソン躯体１が回転した方向とは反対方向に有効に回転案内する。これにより、ケーソン躯体１の回転によるずれを修正する。
このケーソン躯体１を沈降させる間、回転修正用器具２は、ケーソン躯体１の回転によるずれが修正されるまで、刃口１１の内周面に取り付けておき、ケーソン躯体１の回転によるずれが修正されたときに、刃口１１から取り外す。この場合、回転修正用器具２は、ケーソン躯体１への設置時と同様に、刃口１１際の土を一部取り除いて、撤去する。このケーソン躯体１の沈設が完了するまでケーソン躯体１の回転が発生する都度、この回転修正用器具２の取り付け、取り外しを繰り返す。このようにして円形のケーソン躯体１を地盤にケーソン躯体１の外周面の所定の位置を所定の方向に向けて沈設する。
【００１５】
以上説明したように、このニューマチックケーソンの回転修正方法によれば、ケーソン躯体１が地盤に沈降する過程でケーソン躯体１に軸回りの回転が発生したときに、その都度、刃口１１の内周面に特殊な形状の回転修正用器具２を脱着可能に取り付けて、回転発生後のケーソン躯体１を地盤に沈降させ、このケーソン躯体１の外周面と地盤との間の周面摩擦力が小さいときに、回転修正用器具２で、刃口１１の内周面側で受ける鉛直方向の地盤反力を受け、この地盤反力の一部をケーソン躯体１が回転した方向とは反対方向の分力に変換して、ケーソン躯体１をケーソン躯体１が回転した方向とは反対方向に有効に回転案内し、ケーソン躯体１の回転によるずれを修正するので、ケーソン躯体１が地盤に沈降する過程でのケーソン躯体１の回転によるずれを、ケーソン躯体１を油圧ジャッキなどを用いて機械的、強制的に回転させることなく、ケーソン躯体１で受ける地盤反力の一部を利用した簡易な設備により容易かつ低コストに修正することができる。
【００１６】
図２にこのニューマチックケーソンの回転修正方法に適用する回転修正用器具２を拡大して示している。図２に示すように、この回転修正用器具２は、全体が金属材又は木材により異形の略板状又は略ブロック状に形成されて、背面２１、一方の側部２２、他方の側部２３、底部２４、上部２５、正面２６を備える。
背面２１は、刃口１１の内周面に沿って当接可能に曲面状（水平断面が円弧状）をなす横長の略長方形になっている。
一方の側部（この場合、右側部）２２は、ケーソン躯体１の回転方向に対向する側で、背面２１側から正面２６側に向けて突出する上部２５側の高さに所定の高さ寸法を有し、この高さが上部２５側から底部２４側に向けて漸次小さくなる断面略三角形の平面状になっている。
他方の側部（この場合、左側部）２３は、一方の側部２２の反対側で、略線形になっている。
底部２４は、鉛直方向の地盤反力に対向する側で、略線形になっている。
上部２５は、底部２４の反対側で、背面２１側から正面２６側に向けて突出する高さが一方の側部２２側から他方の側部２３側に向けて漸次小さくなる断面略三角形の平面になっている。
正面２６は、背面２１側から突出する高さが一方の側部２２側から他方の側部２３側に向けて漸次小さくなり、かつ上部２５から底部２４に向けて漸次小さくなる複合傾斜面になっている。
【００１７】
この回転修正用器具２は、締結要素を介して、刃口１１の内周面に脱着可能に取り付けられ、この場合、締結要素として複数のホルト２７を備え、正面２６と背面２１との間に複数のボルト挿通穴２８が貫通形成され、各ボルト２７が各ボルト挿通穴２８内に通されて刃口１１の内周面に締結され、各ボルト挿通穴２８内に埋設される。
【００１８】
また、この場合、回転修正用器具２の本体は全体が一体で、正面２６方向の突出高さが異なる複数の種類の回転修正用器具２が用意されており、突出高さの異なる回転修正用器具２の交換により、正面方向の突出高さが調整可能になっている。
【００１９】
このようにして、既述のとおり、ケーソン躯体１が回転した都度、適宜の数の回転修正用器具２を刃口１１の斜めの内周面に同じ所定の高さで等間隔にボルト２７により取り付けて、回転発生後のケーソン躯体１を地盤に圧入沈降させる。この特殊な形状の回転修正用器具２の作用によって、ケーソン躯体１は、既述のとおり、ケーソン躯体１が回転した方向とは反対方向に回転案内され、ケーソン躯体１の回転によるずれが修正される。
そして、この場合、この回転修正用器具２に、正面２６方向の突出高さが異なる複数の種類のものが用意されているので、適宜突出高さの回転修正用器具２に交換し、回転修正用器具２の各部の正面２６方向の突出高さ、正面２６の傾斜角度を適宜調整することにより、地盤反力の回転方向の分力を適宜変更調整することができ、ケーソン躯体１を効果的に回転させることができる。
【００２０】
以上説明したように、このニューマチックケーソンの回転修正用器具２によれば、全体を略板状又は略ブロック状に形成し、刃口１１の内周面に沿って当接可能な曲面状をなす背面２１と、ケーソン躯体１の回転方向に対向する側で、背面２１側から正面２６側に向けて突出する上部２５側の高さに所定の高さ寸法を有し、当該高さが上部２５側から底部２４側に向けて漸次小さくなる断面略三角形状をなす一方の側部２２と、一方の側部２２の反対側で、略線形をなす他方の側部２３と、鉛直方向の地盤反力に対向する側で、略線形をなす底部２４と、底部２４の反対側で、背面２１側から正面２６側に向けて突出する高さが一方の側部２２側から他方の側部２３側に向けて漸次小さくなる断面略三角形をなす上部２５と、背面２１側から突出する高さが一方の側部２２側から他方の側部２３側に向けて漸次小さくなり、かつ上部２５から底部２４に向けて漸次小さくなる複合傾斜面をなす正面２６とを備え、ボルト２７などの締結要素を介して、刃口１１の内周面に脱着可能に取り付け、かかる形状の回転修正用器具２で刃口１１の内周面側で受ける鉛直方向の地盤反力を受けるようにしたので、この回転修正用器具２の形状に基く作用により、地盤反力の一部をケーソン躯体１が回転した方向とは反対方向の分力に変換して、ケーソン躯体１をケーソン躯体１が回転した方向とは反対方向に有効に回転案内することができる。したがって、ケーソン躯体１が地盤に沈降する過程でのケーソン躯体１の回転によるずれを、ケーソン躯体１を油圧ジャッキなどを用いて機械的、強制的に回転させることなく、地盤反力の一部を利用した簡易な設備で容易かつ低コストに修正することができる。
【００２１】
なお、この実施の形態では、他方の側部２３は、略線形に形成されているが、略線形に代えて、背面２１側から正面２６側に向けて突出する上部２５側の高さが一方の側部２２の上部２５側の高さよりも小さく、この高さが上部２５側から底部２４側に向けて漸次小さくなる断面略三角形状としてもよい。また、底部２４は、略線形に形成されているが、略線形に代えて、背面２１側から正面２６側に向けて突出する高さが一方の側部２２側から他方の側部２３側に向けて漸次小さくなる断面略三角形をなすものであってもよい。このように他方の側部２３及び底部２４を略線形よりも少し面状にして正面２６方向への高さ、つまり、厚みを少し持たせるようにしてもよく、このようにしても上記と同様の作用効果を得ることができる。
また、この場合、回転修正用器具２の本体は全体が一体で、正面２６方向の突出高さが異なる複数の種類の回転修正用器具２を備え、突出高さの異なる回転修正用器具２の交換により、正面２６方向の突出高さが調整されるようにしたが、回転修正用器具２の本体が、図３に示すように、背面２１側から正面２６方向に並列に複数に分割されて、背面２１側から正面２６方向に並列に組み合わせ可能な複数の器具構成パーツ２０１，２０２，２０３からなり、器具構成パーツ２０１，２０２，２０３の組み合わせ数の増減により、正面２６方向の突出高さが調整されるようにしてもよく、このようにしても上記と同様に、地盤反力の回転方向の分力を適宜変更調整して、ケーソン躯体１を効果的に回転させることができる。
【符号の説明】
【００２２】
１  ケーソン躯体
１０  側壁
１１  刃口
１２  天井スラブ
１３  作業室
１４  マテリアルシャフト
１５  マテリアルロック
１６  マンシャフト
１７  マンロック
１８  掘削機械
２  回転修正用器具
２０１，２０２，２０３  器具構成パーツ
２１  背面
２２  一方の側部
２３  他方の側部
２４  底部
２５  上部
２６  正面
２７  ボルト（締結要素）
２８  ボルト挿通穴
【図１】
2015074941.tif 000003
【図２】
2015074941.tif 000004
【図３】
2015074941.tif 000005